(57)【特許請求の範囲】
【請求項１】
下鋼板と上鋼板との間に谷部と山部とを形成した帯鋼の複数をそれぞれ適宜の間隔で配置して固定してなる鋼コンクリート合成構造物であって、下鋼板と帯鋼の谷部とを、帯鋼の谷部を帯鋼の谷部の凹面又は凸面に沿う曲面からなる添接面と下鋼板のボルト挿通孔及び帯鋼の谷部のボルト挿通孔に合うボルト挿通孔を有する一対のワッシャではさみ込むとともにこれらのボルト挿通孔を介してボルト、ナットで固定したのち、上鋼板と帯鋼の山部とを、帯鋼の山部を帯鋼の山部の凸面又は凹面に沿う曲面からなる添接面と上鋼板のボルト挿通孔及び帯鋼の山部のボルト挿通孔に合うボルト挿通孔を有する一対のワッシャではさみ込むとともに、ワッシャを帯鋼の山部に固定し、これらのボルト挿通孔を介してボルト、ナットで固定することを特徴とする鋼コンクリート合成構造物。
【請求項２】
帯鋼の山部又は谷部の凸面又は凹面のそれぞれに沿う曲面からなる添接面を有する一対のワッシャの帯鋼の山部又は谷部への固定は、一対のワッシャのそれぞれにボルト挿通孔をはさんで対向するとともにはさみ込んだ帯鋼との直交方向の側部に形成した突起部を止め具を用いて結合することを特徴とする請求項１に記載の鋼コンクリート合成構造物。
【請求項３】
帯鋼の山部又は谷部の凸面又は凹面のそれぞれに沿う曲面からなる添接面を有する一対のワッシャの帯鋼の山部又は谷部への固定は、一対のワッシャのそれぞれにボルト挿通孔をはさんで対向するとともにはさみ込んだ帯鋼との直交方向の側部に形成した凹部を止め具を用いて結合することを特徴とする請求項１に記載の鋼コンクリート合成構造物。
【請求項４】
帯鋼の山部又は谷部の凸面又は凹面のそれぞれに沿う曲面からなる添接面を有する一対のワッシャの帯鋼の山部又は谷部への固定は、帯鋼を一対のワッシャではさみ込むとともに、帯鋼凸面側ワッシャ外側にナットを添接し、帯鋼凹面側ワッシャ外側よりボルトを挿通して結合し、ボルトを上方に突出することを特徴とする請求項１に記載の鋼コンクリート合成構造物。
【請求項５】
帯鋼の山部又は谷部の凸面又は凹面のそれぞれに沿う曲面からなる添接面を有する一対のワッシャの帯鋼の山部又は谷部への固定は、帯鋼を一対のワッシャではさみ込むとともに、帯鋼凹面側ワッシャ外側よりボルトを挿通して突出させ、ボルトと帯鋼とボルト突出側ワッシャとボルト間のボルト挿通孔にくさびを打込むことを特徴とする請求項１に記載の鋼コンクリート合成構造物。
【発明の詳細な説明】
【０００１】
【発明の属する技術分野】
本発明は、道路橋の床版、床版橋、覆道の頂板等を構成する上下鋼板をせん断部材で連結し、上下鋼板間にコンクリートを打設してなる鋼コンクリート合成構造物に関する。
【０００２】
【従来の技術】
道路橋の床版、覆道の頂板等としての構造物の一つに上鋼板と下鋼板をせん断部材で連結し、上鋼板と下鋼板間にコンクリートを打設して形成されるコンクリート構造物がある。
【０００３】
この構造物は、図２２に示すようにロックシェッド頂板、図２３及び図２４に示すように、小径間橋梁、鋼桁橋梁等の床版として利用されている。
【０００４】
この構造物は、図２１に示すように、上鋼板２と下鋼板１との間にせん断部材として帯鋼３が配置されその山部３ｂと谷部３ａがそれぞれ上鋼板２と下鋼板１にボルト挿通孔を介してボルト、ナットにより固定されている。
【０００５】
【発明が解決しようとする課題】
しかしながら、この構造物の上鋼板と下鋼板の間は、狭い厚さのためこの内部に作業者が入り込んで多数の帯鋼を配置することは難しい。特に帯鋼の谷部を下鋼板に固定した後、帯鋼の山部を上鋼板にボルト、ナットにより固定する作業は、内側からでは大変面倒で非能率的である。
【０００６】
【課題を解決するための手段】
本発明は、このような課題を以下述べるところにより解決しようとするものである。
【０００７】
基本的には、下鋼板と上鋼板との間に谷部と山部とを形成した帯鋼の複数をそれぞれ適宜の間隔で配置して固定してなる鋼コンクリート合成構造物であって、下鋼板と帯鋼の谷部とを、帯鋼の谷部を帯鋼の谷部の凹面又は凸面に沿う曲面からなる添接面と下鋼板のボルト挿通孔及び帯鋼の谷部のボルト挿通孔に合うボルト挿通孔を有する一対のワッシャではさみ込むとともにこれらのボルト挿通孔を介してボルト、ナットで固定したのち、上鋼板と帯鋼の山部とを、帯鋼の山部を帯鋼の山部の凸面又は凹面に沿う曲面からなる添接面と上鋼板のボルト挿通孔及び帯鋼の山部のボルト挿通孔に合うボルト挿通孔を有する一対のワッシャではさみ込むとともに、ワッシャを帯鋼の山部に固定し、これらのボルト挿通孔を介してボルト、ナットで固定することを特徴とする鋼コンクリート合成構造物を提供する。
【０００８】
上記コンクリート合成構造物にあって、帯鋼の山部又は谷部の凸面又は凹面のそれぞれに沿う曲面からなる添接面を有する一対のワッシャの帯鋼の山部又は谷部への固定は、一対のワッシャのそれぞれにボルト挿通孔をはさんで対向するとともにはさみ込んだ帯鋼との直交方向の側部に形成した突起部を止め具を用いて結合することを特徴とする。
【０００９】
同じく、帯鋼の山部又は谷部の凸面又は凹面のそれぞれに沿う曲面からなる添接面を有する一対のワッシャの帯鋼の山部又は谷部への固定は、一対のワッシャのそれぞれにボルト挿通孔をはさんで対向するとともにはさみ込んだ帯鋼との直交方向側部に形成した凹部を止め具を用いて結合することを特徴とする。
【００１０】
同じく、帯鋼の山部又は谷部の凸面又は凹面のそれぞれに沿う曲面からなる添接面を有する一対のワッシャの帯鋼の山部又は谷部への固定は、帯鋼を一対のワッシャではさみ込むとともに、帯鋼凸面側ワッシャ外側にナットを添接し、帯鋼凹面側ワッシャ外側よりボルトを挿通して結合し、ボルトを上方に突出することを特徴とする。
【００１１】
同じく、帯鋼の山部又は谷部の凸面又は凹面のそれぞれに沿う曲面からなる添接面を有する一対のワッシャの帯鋼の山部又は谷部への固定は、帯鋼を一対のワッシャではさみ込むとともに、帯鋼凹面側ワッシャ外側よりボルトを挿通して突出させ、ボルトと帯鋼とボルト突出側ワッシャとボルト間のボルト挿通孔にくさびを打込むことを特徴とする。
【００１２】
上記構成において、本発明は、下鋼板にせん断部材である帯鋼を予め固定した後、すなわち、下鋼板に帯鋼の谷部を固定したときは、帯鋼の山部に、それぞれ凸部又は凹部のそれぞれの曲面に沿う添接面を有する一対のワッシャで帯鋼をはさみ込んで固定してあるので、上鋼板を予め形成してあるそれぞれのボルト挿通孔を介して、外部から容易に取り付けることができる。
【００１３】
【発明の実施の形態】
つぎに、本発明の実施の形態を図面に基き説明する。
【００１４】
まず、図１に示すように、下鋼板１の所定の個所に帯鋼３を谷部３ａと山部３ｂを形成して配置し、谷部３ａを下鋼板１に固定する。帯鋼３の谷部３ａは、一対のワッシャ４、５によりはさみ込まれている。ワッシャ４は図４に示すように帯鋼３の凸面に沿う添接面４ａ、ワッシャ５は帯鋼３の凹面に沿う添接面５ａが形成されている。下鋼板１と帯鋼３の谷部３ａ、ワッシャ４、５にはそれぞれボルト挿通孔１ａ、３ｃ、４ｂ、５ｂが穿孔されている。下鋼板１と帯鋼３の谷部３ａとの固定は、ワッシャ４、５間に帯鋼３の谷部３ａをはさみ込んで位置させた下鋼板１の外側からボルト挿通孔１ａ、５ｂ、３ｃ、４ｂを介してボルト６を挿通し、ナット７を付けて行う。
【００１５】
帯鋼３の山部３ｂには、図２に示すようにこの山部３ｂをはさんで、一対のワッシャ８、９が固定され、図３に示すように、このワッシャ８、９を利用してボルト１０、ナット１１により上鋼板２が帯鋼３の山部３ｂに固定される。
【００１６】
つぎに、ワッシャ８、９の構造と帯鋼３の山部３ｂへの固定の仕方、上鋼板２のこの帯鋼３の山部３ｂへの固定の仕方の具体的な実施の形態を説明する。
【００１７】
まず、図５乃至図８に基き説明する。
【００１８】
一対のワッシャ８、９は図５に示すように、それぞれ帯鋼３の山部３ｂの凹面に沿う添接面８ａ、山部３ｂの凸面に沿う添接面９ａが形成されるとともに帯鋼３の山部３ｂに形成されたボルト挿通孔３ｃに合うボルト挿通孔８ｂ、９ｂが穿孔されている。この実施の形態においては、一対のワッシャ８、９のそれぞれにボルト挿通孔８ｂ、９ｂをはさんで対向するとともにはさみ込んだ帯鋼３との直交方向の両側部に突起部１２、１２、１３、１３が形成されている。また、ワッシャ８の端部にはボルト挿通孔８ｂに連通するナット１１が固定されている。この図ではカバー１５により押圧されている。
【００１９】
このようにしてなるワッシャ８、９と帯鋼３とは、図６に示すように、ワッシャ８の添接面８ａを帯鋼３の山部３ｂの凹面に添接し、ワッシャ９の添接面９ａを帯鋼３の山部３ｂの凸面に添接して帯鋼３の山部３ｂをはさみ込んで、ワッシャ８、９に形成した突起部１２と１３にねじ、ピン等の止め具１４を差し込んで結合して固定される。
【００２０】
ついで、上鋼板２と帯鋼３の山部３ｂとを、図７に示すように、上鋼板２に穿孔したボルト挿通孔２ａとワッシャ９のボルト挿通孔９ｂ、帯鋼３の山部３ｂのボルト挿通穴３ｃ、ワッシャ８のボルト挿通孔８ｂとを一致させ、図８に示すように、上鋼板２の外側からボルト１０を挿通し、ワッシャ８の端部に固定したナット１１にボルト１０を螺合して結合し、固定する。
【００２１】
つぎに、別の実施の形態を図９乃至図１２に基き説明する。
【００２２】
一対のワッシャ８、９は、図９に示すように、それぞれ帯鋼３の山部３ｂの凹面に沿う添接面８ａ、山部３ｂの凸面に沿う添接面９ａが形成されるとともに鋼板３の山部３ｂに形成されたボルト挿通孔３ｃに合うボルト挿通孔８ｂ、９ｂが穿孔されている。この実施の形態においては、一対のワッシャ８、９のそれぞれにボルト挿通孔８ｂ、９ｂをはさんで対向するとともにはさみ込んだ帯鋼３との直交方向の側部に凹部１６、１６、１７、１７が形成されている。また、ワッシャ８の端部にはボルト挿通孔８ｂに連通するナット１１が固定されている。この図ではカバー１５により押圧されている。
【００２３】
このようにしてなるワッシャ８、９と帯鋼３とは、図１０に示すように、ワッシャ８の添接面８ａと帯鋼３の山部３ｂの凹面に添接し、ワッシャ９の添接面９ａを帯鋼３の山部３ｂの凸面に添接して帯鋼３の山部をはさみ込んで、ワッシャ８、９に形成した凹部１６、１７とをクリップ、カスガイ等の止め具１８ではさみ込んで結合して固定される。
【００２４】
ついで、上鋼板２と帯鋼３の山部３ｂとを、図１１に示すように、上鋼板２に穿孔したボルト挿通孔２ａとワッシャ９のボルト挿通孔９ｂ、帯鋼３の山部３ｂのボルト挿通孔３ｃ、ワッシャ８のボルト挿通孔８ｂと一致させ、図１２に示すように、上鋼板２の外側からボルト１０を挿通し、ワッシャ８の端部に固定したナット１１にボルト１０を螺合して結合し、固定する。
【００２５】
つぎに、さらに別の実施の形態を図１３乃至図１６に基き説明する。
【００２６】
一対のワッシャ８、９は図１３に示すように、それぞれ帯鋼３の山部３ｂの凹面の添接面８ａ、山部３ｂの凸面に沿う添接面９ａが形成されるとともに、帯鋼３の山部３ｂに形成されたボルト挿通孔３ｃに合うボルト挿通孔８ｂ、９ｂが穿孔されている。
【００２７】
このようにしてなるワッシャ８、９と帯鋼３とは、図１４に示すように、ワッシャ８の添接面８ａを帯鋼３の山部３ｂの凹面に添接し、ワッシャ９の添接面９ａを帯鋼３の山部３ｂの凸面に添接して帯鋼３の山部３ｂをはさみ込んで、ワッシャ８の外側からボルト挿通孔８ｂ、３ｃ、９ｂにボルト１０を挿通し、反対側に突出させ、突出側からボルトに薄ナット１９を螺合結合して固定される。
【００２８】
ついで、上鋼板２と帯鋼３の山部３ｂとを、図１５に示すように、上鋼板２に穿孔したボルト挿通孔２ａにワッシャ８、帯鋼３の山部３ｂ、ワッシャ９のボルト挿通孔８ｂ、３ｃ、９ｂを貫通して突出したボルト１０を挿通して、図１６に示すように、上鋼板２の外側からナット１１を付けて結合し、固定する。
【００２９】
つぎに、また、さらに別の実施の形態を図１７乃至図２０に基き説明する。
【００３０】
一対のワッシャ８、９は、図１７に示すように、それぞれ帯鋼３の山部３ｂの凹面の添接面８ａ、山部３ｂの凸面に沿う添接面９ａが形成されるとともに、帯鋼３の山部３ｂに形成されたボルト挿通孔３ｃに合うボルト挿通孔８ｂ、９ｂが穿孔されている。ここで、ワッシャ９に形成されるボルト挿通孔のワッシャ９の外方側は、後述するくさびが打ち込むことのできるように、くさび打込み径２０分だけ大径となっている。
【００３１】
このようにしてなるワッシャ８、９と帯鋼３とは、図１８に示すように、ワッシャ８の添接面８ａを帯鋼３の山部３ｂの凹面に添接し、ワッシャ９の添接面９ａを帯鋼３の山部３ｂの凸面に添接して帯鋼３の山部３ｂをはさみ込んで、ワッシャ８の外側からボルト挿通孔８ｂ、３ｃ、９ｂにボルト１０を挿通し、反対側に突出させ、突出側にくさび２０を打込んで固定される。
【００３２】
ついで、上鋼板２と帯鋼３の山部３ｂとを、図１９に示すように、上鋼板２に穿孔したボルト挿通孔２ａにワッシャ８、帯鋼３の山部３ｂ、ワッシャ９のボルト挿通孔８ｂ、３ｃ、９ｂを貫通して突出したボルト１０を挿通して図２０に示すように、上鋼板２の外側からナット１１を付けて結合し、固定する。なお、上鋼板２に形成されるボルト挿通孔２ａは、くさび２０分だけ多少大径に形成される。
【００３３】
このようにして、全体として、下鋼板１とワッシャ４、５にはさみ込まれた帯鋼３の谷部３ａとを、それぞれ形成されたボルト挿通孔１ａ、４ｂ、３ｃ、５ｂにボルト６を挿通してナット７で結合して固定し、上鋼板２と帯鋼３の山部３ｂとを、帯鋼３の山部３ｂを帯鋼３の山部３ｂの凹面又は凸面に沿う曲面からなる添接面８ａ、９ａと下鋼板１のボルト挿通孔１ａに合うボルト挿通孔８ｂ、９ｂを有する一対のワッシャ８、９ではさみ込むとともにワッシャ８、９を帯鋼３の山部３ｂに固定し、これらのボルト挿通孔４ｂ、３ｃ、５ｂ、１ａをボルト１０、ナット１１で固定した鋼コンクリート合成構造物が形成される。
【００３４】
【発明の効果】
本発明は、上述のようにしてなるので、つぎの効果を有する。
【００３５】
下鋼板を帯鋼の谷部に結合して固定した後、上鋼板を帯鋼の山部に結合して固定するにあたり、予め帯鋼の山部に一対のワッシャを固定して、帯鋼の山部に固定する上鋼板の外側から上鋼板をボルト及びナットを用いて結合して固定する構造としたので、その組立てはきわめて容易である。
【図面の簡単な説明】
【図１】下鋼板に帯鋼の谷部を固定した状態を示す側面図である。
【図２】図１において、帯鋼の山部に一対のワッシャを固定した状態を示す側面図である。
【図３】図２において、上鋼板を帯鋼の山部に固定した状態を示す側面図である。
【図４】下鋼板と帯鋼の谷部との固定部の詳細図である。図において、（ａ）は側面図、（ｂ）は（ａ）のＸ−Ｘ断面図である。
【図５】ワッシャの帯鋼の山部への固定の仕方と上鋼板の帯鋼の山部への固定の仕方の実施の形態を示す施工手順図である。図において、（ａ）は側面図、（ｂ）は（ａ）のＡ−Ａ断面図である。
【図６】ワッシャの帯鋼の山部への固定の仕方と上鋼板の帯鋼の山部への固定の仕方の実施の形態を示す施工手順図である。図において、（ａ）は側面図、（ｂ）は（ａ）のＢ−Ｂ断面図である。
【図７】ワッシャの帯鋼の山部への固定の仕方と上鋼板の帯鋼の山部への固定の仕方の実施の形態を示す施工手順図である。図において、（ａ）は側面図、（ｂ）は（ａ）のＣ−Ｃ断面図である。
【図８】ワッシャの帯鋼の山部への固定の仕方と上鋼板の帯鋼の山部への固定の仕方の実施の形態を示す施工手順図である。図において、（ａ）は側面図、（ｂ）は（ａ）のＤ−Ｄ断面図である。
【図９】ワッシャの帯鋼の山部への固定の仕方と上鋼板の帯鋼の山部への固定の仕方の別の実施の形態を示す施工手順図である。図において、（ａ）は側面図、（ｂ）は（ａ）のＥ−Ｅ断面図である。
【図１０】ワッシャの帯鋼の山部への固定の仕方と上鋼板の帯鋼の山部への固定の仕方の別の実施の形態を示す施工手順図である。図において、（ａ）は側面図、（ｂ）は（ａ）のＦ−Ｆ断面図である。
【図１１】ワッシャの帯鋼の山部への固定の仕方と上鋼板の帯鋼の山部への固定の仕方の別の実施の形態を示す施工手順図である。図において、（ａ）は側面図、（ｂ）は（ａ）のＧ−Ｇ断面図である。
【図１２】ワッシャの帯鋼の山部への固定の仕方と上鋼板の帯鋼の山部への固定の仕方の別の実施の形態を示す施工手順図である。図において、（ａ）は側面図、（ｂ）は（ａ）のＨ−Ｈ断面図である。
【図１３】ワッシャの帯鋼の山部への固定の仕方と上鋼板の帯鋼の山部への固定の仕方のさらに別の実施の形態を示す施工手順図である。図において、（ａ）は側面図、（ｂ）は（ａ）のＩ−Ｉ断面図である。
【図１４】ワッシャの帯鋼の山部への固定の仕方と上鋼板の帯鋼の山部への固定の仕方のさらに別の実施の形態を示す施工手順図である。図において、（ａ）は側面図、（ｂ）は（ａ）のＪ−Ｊ断面図である。
【図１５】ワッシャの帯鋼の山部への固定の仕方と上鋼板の帯鋼の山部への固定の仕方のさらに別の実施の形態を示す施工手順図である。図において、（ａ）は側面図、（ｂ）は（ａ）のＫ−Ｋ断面図である。
【図１６】ワッシャの帯鋼の山部への固定の仕方と上鋼板の帯鋼の山部への固定の仕方のさらに別の実施の形態を示す施工手順図である。図において、（ａ）は側面図、（ｂ）は（ａ）のＬ−Ｌ断面図である。
【図１７】ワッシャの帯鋼の山部への固定の仕方と上鋼板の帯鋼の山部への固定の仕方のまた、さらに別の実施の形態を示す施工手順図である。図において、（ａ）は側面図、（ｂ）は（ａ）のＭ−Ｍ断面図である。
【図１８】ワッシャの帯鋼の山部への固定の仕方と上鋼板の帯鋼の山部への固定の仕方のまた、さらに別の実施の形態を示す施工手順図である。図において、（ａ）は側面図、（ｂ）は（ａ）のＮ−Ｎ断面図である。
【図１９】ワッシャの帯鋼の山部への固定の仕方と上鋼板の帯鋼の山部への固定の仕方のまた、さらに別の実施の形態を示す施工手順図である。図において、（ａ）は側面図、（ｂ）は（ａ）のＯ−Ｏ断面図である。
【図２０】ワッシャの帯鋼の山部への固定の仕方と上鋼板の帯鋼の山部への固定の仕方のまた、さらに別の実施の形態を示す施工手順図である。図において、（ａ）は側面図、（ｂ）は（ａ）のＰ−Ｐ断面図である。
【図２１】従来例を示す断面図である。
【図２２】使用例を示す概略図である。
【図２３】使用例を示す概略図である。
【図２４】使用例を示す概略図である。
【符号の説明】
１    下鋼板
１ａ  ボルト挿通孔
２    上鋼板
２ａ  ボルト挿通孔
３    帯鋼
３ａ  谷部
３ｂ  山部
３ｃ  ボルト挿通孔
４    帯鋼の凸面に沿うワッシャ
４ａ  添接面
４ｂ  ボルト挿通孔
５    帯鋼の凹面に沿うワッシャ
５ａ  添接面
５ｂ  ボルト挿通孔
６    ボルト
７    ナット
８    帯鋼の凹面に沿うワッシャ
８ａ  添接面
８ｂ  ボルト挿通孔
９    帯鋼の凸面に沿うワッシャ
９ａ  添接面
９ｂ  ボルト挿通孔
１０  ボルト
１１  ナット
１２  ワッシャに形成された突起部
１３  ワッシャに形成された突起部
１４  止め具
１５  カバー
１６  ワッシャに形成された凹部
１７  ワッシャに形成された凹部
１８  止め具
１９  薄ナット
２０  くさび
【図１】
0003612527.tif 000002
【図２】
0003612527.tif 000003
【図３】
0003612527.tif 000004
【図４】
0003612527.tif 000005
【図５】
0003612527.tif 000006
【図６】
0003612527.tif 000007
【図７】
0003612527.tif 000008
【図８】
0003612527.tif 000009
【図９】
0003612527.tif 000010
【図１０】
0003612527.tif 000011
【図１１】
0003612527.tif 000012
【図１２】
0003612527.tif 000013
【図１３】
0003612527.tif 000014
【図１４】
0003612527.tif 000015
【図１５】
0003612527.tif 000016
【図１６】
0003612527.tif 000017
【図１７】
0003612527.tif 000018
【図１８】
0003612527.tif 000019
【図１９】
0003612527.tif 000020
【図２０】
0003612527.tif 000021
【図２１】
0003612527.tif 000022
【図２２】
0003612527.tif 000023
【図２３】
0003612527.tif 000024
【図２４】
0003612527.tif 000025